(57)【要約】      （修正有）【課題】容易に蓋の開閉をすることができ、且つ、ペンを筆記具ケースに対して出し入れすることを開いた蓋が邪魔するようなことがなく、しかも、余分なスペースを必要としない筆記具ケースを提供する。【解決手段】筆記具を収納する筆記具ケース１１であって、上方に開口する開口部２７を有する中空の箱状に形成された筆記具収納部２１と、前記開口部の幅方向に沿って一対に配設された２枚の片部を有し、前記開口部を開閉可能に被覆する蓋部３１とを備え、前記筆記具収納部及び前記蓋部は剛性を有し、一方の前記片部を開閉した場合には他方の前記片部も同様に開閉される。【選択図】図３
0003224722.tif 000002
【実用新案登録請求の範囲】
【請求項１】
筆記具を収納する筆記具ケースであって、
上方に開口する開口部を有する中空の箱状に形成された筆記具収納部と、
前記開口部の幅方向に沿って一対に配設された２枚の片部を有し、前記開口部を開閉可能に被覆する蓋部とを備え、
前記筆記具収納部及び前記蓋部は剛性を有し、一方の前記片部を開閉した場合には他方の前記片部も同様に開閉されることを特徴とする筆記具ケース。
【請求項２】
前記筆記具収納部は全体略直方体形状に形成されると共に、前記２つの片部は夫々長方形状に形成され、前記開口部の一対の長辺部に配設されていることを特徴とする請求項１記載の筆記具ケース。
【請求項３】
前記蓋部の一方の片部の長さ方向両端部と前記他方の片部の長さ方向両端部の間には、夫々、マチ部が形成されていることを特徴とする請求項１記載の筆記具ケース。
【請求項４】
前記蓋部の一方の片部は前記他方の片部よりも幅寸法が大きく形成され、前記開口部を閉止する際には、前記一方の片部は前記他方の片部の上方に配置され、前記一方の片部と他方の片部との重複部には磁性吸着部材が設けられていることを特徴とする請求項１記載の筆記具ケース。
【請求項５】
前記一方の片部の長さ方向端部には開閉用部材が設けられていることを特徴とする請求項４記載の筆記具ケース。
【請求項６】
前記一方の片部の長さ方向両端部は、前記筆記具収納部の長さ方向両端部よりも外方へ延出されるように形成されていることを特徴とする請求項１記載の筆記具ケース。
【考案の詳細な説明】
【技術分野】
【０００１】
本考案は、ペン等を収納するための筆記具ケースに関する。
【背景技術】
【０００２】
筆記具を収納するための通常の筆記具ケースは、例えば、数本乃至十数本程度のペン（鉛筆、ボールペン、サインペン、万年筆等）、消しゴム、定規等を収納することが可能である。そして、筆記具ケースは、持ち運びのときには、ペン等が筆記具ケースから外に出ないように構成されている必要がある。更に、筆記具ケースは、机などの上に置かれたときに、使用者がペン類を筆記具ケースから出すことを可能にするために構成されている必要もある。
【先行技術文献】
【特許文献】
【０００３】
【特許文献１】実用新案登録第３０７３７７７号
【考案の概要】
【考案が解決しようとする課題】
【０００４】
しかし、筆記具ケースに対して着脱可能な蓋を用いた場合、蓋を着脱するためには通常は両手を用いる必要があり、これが煩わしい。また、筆記具ケースから取り外した蓋を別の場所に置くならば、余分なスペースが必要になってしまう。更に、筆記具ケースの裏側から蓋を取り付けるならば、そのための作業が煩わしい。
【０００５】
収納部分と一体化した従来の開閉式の蓋を用いた場合、一度開いた蓋は、自重により再度閉じてしまうので、開閉式の蓋は、頻繁にペンを筆記具ケースに対して出し入れする際に邪魔になってしまう。開閉式の蓋を１８０度開き、蓋がペンの筆記具ケースに対する出し入れを邪魔しないようにするならば、全体で机の上のスペースを蓋が閉じている場合の２倍程度占めるようになってしまう。
【０００６】
ファスナー式の筆記具ケースもあるが、開いたファスナーの隙間は狭いため、開いたファスナーに指を差し込んで指探りをしたり覗き込んだりして目的とするペンを探し、それを取り出すことは厄介である。また、取り出そうとするペンの一部が筆記具ケースの内部に引っかかってしまい、取り出す前に指からペンが離脱してしまう場合さえある。
【０００７】
特許文献１には、ケース本体の開口部を被覆する蓋板及び、被覆時に蓋板の下方に配設され、蓋板と共に開口部を被覆する蓋止板を有する筆入れ等のケースが開示されている。
しかしながら、蓋板及び蓋止板を開放して収納物を取り出す場合には、蓋板及び蓋止板の双方を手で開く必要があり、また、蓋板及び蓋止板を閉止する場合にも、蓋板及び蓋止板の双方を手で閉じる必要があることから、開閉操作が煩雑である、という不具合がある。
そこで、本考案は、上記の点に鑑みてなされたものであり、容易に蓋の開閉をすることができ、且つ、ペンを筆記具ケースに対して出し入れすることを開いた蓋が邪魔するようなことがなく、しかも、余分なスペースを必要としない筆記具ケースを提供することを目的とする。
【課題を解決するための手段】
【０００８】
請求項１に係る考案は、筆記具を収納する筆記具ケースであって、上方に開口する開口部を有する中空の箱状に形成された筆記具収納部と、前記開口部の幅方向に沿って一対に配設された２枚の片部を有し、前記開口部を開閉可能に被覆する蓋部とを備え、前記筆記具収納部及び前記蓋部は剛性を有し、一方の前記片部を開閉した場合には他方の前記片部も同様に開閉されることを特徴とする筆記具ケースである。
【０００９】
従って、請求項１に係る考案によれば、一方の蓋を開閉するための操作をするだけで、一方の蓋及び他方の蓋の双方が開閉する。
【００１０】
請求項２に係る考案は、前記筆記具収納部は全体略直方体形状に形成されると共に、前記２つの片部は夫々長方形状に形成され、前記開口部の一対の長辺部に配設されていることを特徴とする請求項１記載の筆記具ケースである。
【００１１】
従って、請求項２に係る考案によれば、鉛筆やペンなどの筆記具や定規、消しゴムなどを収納することができる。
【００１２】
請求項３に係る考案は、前記蓋部の一方の片部の長さ方向両端部と前記他方の片部の長さ方向両端部の間には、夫々、マチ部が形成されていることを特徴とする筆記具ケースである。
【００１３】
従って、請求項３に係る考案によれば、前記２つの片部はマチ部により接続されていることから、２つの片部は、開閉時に互いに協働して開閉動作を行うことができる。また、マチ部の存在により筆記具ケースの両端部から筆記具が飛び出してしまうことを防止することができる。
【００１４】
請求項４に係る考案は、前記蓋部の一方の片部は前記他方の片部よりも幅寸法が大きく形成され、前記開口部を閉止する際には、前記一方の片部は前記他方の片部の上方に配置され、前記一方の片部と他方の片部との重複部には磁性吸着部材が設けられていることを特徴とする筆記具ケースである。
【００１５】
従って、請求項４に係る考案によれば、衝撃などの外力により蓋部が開いてしまうことを未然に防止することができる。
【００１６】
請求項５に係る考案は、前記一方の片部の長さ方向端部には開閉用部材が設けられていることを特徴とする筆記具ケースである。
【００１７】
従って、請求項５に係る考案によれば、使用者が開閉用部材を摘まんで蓋部が開閉する方向に引くだけで、蓋部を開閉することができる。
【００１８】
請求項６に係る考案は、前記一方の片部の長さ方向両端部は、前記筆記具収納部の長さ方向両端部よりも外方へ延出されるように形成されていることを特徴とする筆記具ケース。
【００１９】
従って、請求項６に係る考案によれば、筆記具収納部の内部スペースが圧迫されない。
【考案の効果】
【００２０】
請求項１に係る考案によれば、使用者による蓋部の開閉が容易であるという効果が奏される。即ち、使用者は２枚の片部からなる蓋部の夫々を指で開閉動作する必要がなく、一方の片部のみを開閉操作することにより蓋部を開閉することができる。
【００２１】
請求項３に係る考案によれば、前記２つの片部はマチ部により接続され、２つの片部は開閉時に互いに協働して開閉動作を行うことができることから、一方の片部を開閉動作した場合には、他方の片部も追随して開閉動作を行うこととなり、使用者は容易に開閉動作を行うことが可能となる。
【００２２】
請求項４に係る考案によれば、、前記一方の片部と他方の片部との重複部には磁性吸着部材が設けられていることから、閉止時には一方の片部と他方の片部とは密着し、衝撃などの外力が働いた場合であっても筆記具を紛失してしまったり、落下により壊してしまうことを避けることができるという効果が奏される。
【００２３】
請求項５に係る考案によれば、使用者は開閉用部材を指で把持して開閉動作を行うことができるため、請求項１の効果に加えて、蓋部の開閉が容易であるという効果が奏される。
【００２４】
請求項６に係る考案によれば、使用者は、外方へ延出された部位を指で把持することにより容易に開閉動作を行うことが可能となる。
【図面の簡単な説明】
【００２５】
【図１】本考案の実施の形態による筆記具ケースの上蓋部及び下蓋部が閉じている状態を示す斜視図である。
【図２】本考案の実施の形態による筆記具ケースの上蓋部が開いていて下蓋部が閉じている状態を示す斜視図である。
【図３】本考案の実施の形態による筆記具ケースの上蓋部及び下蓋部が開いている状態を示す斜視図である。
【図４】本考案の実施の形態による筆記具ケースを構成する主要な部品の展開図である。
【図５】本考案の実施の形態による筆記具ケースを構成する主要な部品を組み立てた状態を示す展開図である。
【図６】本考案の実施の形態による筆記具ケースの左側側面図及び右側側面図である。
【考案を実施するための形態】
【００２６】
以下、図面を参照して本考案を実施するための形態について詳細に説明する。
【００２７】
本実施の形態による筆記具ケース１１は、各種のペン、消しゴム、定規などの筆記具を携帯可能に収納するものである。
【００２８】
図１乃至図３を参照すると、筆記具ケース１１は、上方に開口する開口部２７を有する中空の箱状に形成された筆記具収納部２１と、開口部２７の幅方向に沿って一対に配設された２枚の片部（上蓋部３２及び下蓋部３３）を有し、開口部２７を開閉可能に被覆する蓋部３１とを備え、筆記具収納部及２１及び蓋部５０は剛性を有し、一方の片部（上蓋部３２）を開閉した場合には他方の片部（下蓋部３３）も同様に開閉されるように構成されている。
【００２９】
筆記具収納部２１は全体略直方体形状に形成されると共に、２つの片部（上蓋部３２及び下蓋部３３）は夫々長方形状に形成され、開口部２７の一対の長辺部５０７、５０８に配設されている。
【００３０】
蓋部３１の一方の片部（上蓋部３２）の長さ方向両端部５１１と前記他方の片部（下蓋部３３）の長さ方向両端部５１３の間には、夫々、マチ部（左側マチ部３４、右側マチ部３５）（図６も参照）が形成されている。
【００３１】
前記蓋部３１の一方の片部（上蓋部３２）は他方の片部（下蓋部３３）よりも幅寸法が大きく形成され、開口部２７を閉止する際には、一方の片部（上蓋部３２）は他方の片部（下蓋部３３）の上方に配置され、一方の片部（上蓋部３２）と他方の片部（下蓋部３３）との重複部には磁性吸着部材（上蓋側金属平棒３７１、下蓋側磁性体３７２及び下蓋側金属平棒３７３）（図６も参照）が設けられている。
【００３２】
一方の片部（上蓋部３２）の長さ方向一端部には開閉用部材（ストラップ突出部３６２）が設けられている。
【００３３】
一方の片部（上蓋部３２）の長さ方向両端部５１１は、前記筆記具収納部２１の長さ方向両端部よりも外方へ延出されるように形成されている。
【００３４】
次に、本実施の形態による筆記具ケース１１についてより詳細な説明をする。
【００３５】
本考案の実施の形態による筆記具ケース１１は、筆記具収納部２１及びこの上端部に連接された蓋部３１を有する。
【００３６】
蓋部３１は、上蓋部３２及び下蓋部３３に分けられる。そして、図３及び図５に示すように、上蓋部３２の左端辺（左前側連接部４４１）と下蓋部３３の左端辺（左後側連接部４４２）の間には左側マチ部３４が設けられ、上蓋部３２の右端辺（右前側連接部４４３）と下蓋部３３の右端辺（右後側連接部４４４）の間には右側マチ部３５が設けられている。
【００３７】
図６に示すように、筆記具収納部２１は、長方形の底板部２２並びにこの底板部２２の前辺、後辺、左辺及び右辺にそれぞれ略直角の角度をもって連接する長方形の前壁部２３、長方形の後壁部２４、長方形の左壁部２５及び長方形の右壁部２６を有する。前壁部２３と左壁部２５は略直角の角度をなすように連接し、同様に、前壁部２３と右壁部２６、後壁部２１３と左壁部２５、後壁部２１３と右壁部２６もそれぞれ直角の角度をなすように連接している。
【００３８】
従って、筆記具収納部２１は、上方に開口する開口部２７を有する中空の箱状の形状を有することになる。
【００３９】
底板部２２は、一例として、幅が１８０ｍｍ程度であり、奥行が８０ｍｍ程度である。また、前壁部２３、後壁部２４、左壁部２５及び右壁部２６は、高さが３０ｍｍ程度である。従って、筆記具収納部２１は、幅が１８０ｍｍ、奥行きが８０ｍｍ、そして、高さが３０ｍｍの上方が開口した中空の略直方体の形状を有することになる。
【００４０】
図４及び図５に示すように、底板部２２は、底板側表皮材２２４、底板補強部材２１６及び底板側裏皮材２３１を有し、これらが外部から内部に向かってこの順序で積層して形成されている。
【００４１】
同様に、前壁部２３は、前壁側表皮材２２５、前壁補強部材２１７及び前壁側裏皮材２３２を有し、これらが外部から内部に向かってこの順序で積層して形成されている。
【００４２】
同様に、後壁部２４は、後壁側表皮材２２６、後壁補強部材２１８及び後壁側裏皮材２３３を有し、これらが外部から内部に向かってこの順序で積層して形成されている。
【００４３】
左壁部２５は、前側半分において、左壁前側表皮材２２７、左壁前側補強部材２１９及び左壁前側裏皮材２３４を有し、これらが外部から内部に向かってこの順序で積層されている。
【００４４】
また、図６に示すように、左壁部２５は、後側半分において、左壁後側表皮材２２８、左壁後側補強部材２２１及び左壁後側裏皮材２３５を有し、これらが外部から内部に向かってこの順序で積層されている。
【００４５】
左壁部２５と同様に、右壁部２６は、前側半分において、右壁前側表皮材２２９、右壁前側補強部材２２２及び右壁前側裏皮材２３６を有し、これらが外部から内部に向かってこの順序で積層されている。
【００４６】
また、右壁部２６は、後側半分において、右壁後側表皮材２３０、右壁後側補強部材２２３及び右壁後側裏皮材２３７を有し、これらが外部から内部に向かってこの順序で積層されている。
【００４７】
ここで、補強部材６０３について説明すると、図４に示すように、底板補強部材２１６、前壁補強部材２１７、後壁補強部材２１８、左壁前側補強部材２１９、左壁後側補強部材２２１、右壁前側補強部材２２２及び右壁後側補強部材２２３は、展開すると１枚の補強部材６０５となっている。
展開状態で見ると底板補強部材２１６の前辺に前壁補強部材２１７が連接し、底板補強部材２１６の後辺に後壁補強部材２１８が連接している。そして、前壁補強部材２１７の左辺に左壁前側補強部材２１９が連接し、前壁補強部材２１７の右辺に右壁前側補強部材２２２が連接している。更に、後壁補強部材２１８の左辺に左壁後側補強部材２２１が連接し、後壁補強部材２１８の右辺に右壁後側補強部材２２３が連接している。
【００４８】
補強部材６０５のこれらの６つの連接部を直角に曲げて、左壁前側補強部材２１９と左壁後側補強部材２２１を繋げ、右壁前側補強部材２２２と右壁後側補強部材２２３を繋げることにより、筆記具収納部２１の中空で上方が開口した箱状（直方体状）の形状を構成することができる。
【００４９】
補強部材６０５は、塩化ビニール及びスポンジ生地を２層に積層したものであり、塩化ビニールが外側、スポンジ生地が内側になるように組み立てられる。
【００５０】
このように組み立てられた補強部材６０５の塩化ビニールにより筆記具収納部２１の箱形状を維持することが可能になる。
【００５１】
また、筆記具収納部２１の内部全体がスポンジ生地による覆われることになるので、内部に収納された筆記具を保護することができる。
【００５２】
次に、表皮材６０１について説明すると、補強部材６０５と同様に、底板側表皮材２２４、前壁側表皮材２２５、後壁側表皮材２２６、左壁前側表皮材２２７、左壁後側表皮材２２８、右壁前側表皮材２２９及び右壁後側表皮材２３０は、展開すると１枚の表皮材６０１となっている。
展開状態で見ると底板側表皮材２２４の前辺に前壁側表皮材２２５が連接し、底板側表皮材２２４の後辺に後壁側表皮材２２６が連接している。そして、前壁側表皮材２２５の左辺に左壁前側表皮材２２７が連接し、前壁側表皮材２２５の右辺に右壁前側表皮材２２９が連接している。更に、後壁側表皮材２２６の左辺に左壁後側表皮材２２８が連接し、後壁側表皮材２２６の右辺に右壁後側表皮材２３０が連接している。
【００５３】
表皮材６０１の素材は、天然繊維又は合成繊維などのズック生地であり、所定の剛性を有する。従って、特に、補強部材６０５がむき出しである場合と比較すると、キズが付きにくく、汚れにくくなり、装飾性も付加される。
【００５４】
更に、裏皮材６０９について説明すると、補強部材６０５及び表皮材６０１と同様に、底板側裏皮材２３１、前壁側裏皮材２３２、後壁側裏皮材２３３、左壁前側裏皮材２３４、左壁後側裏皮材２３５、右壁前側裏皮材２３６及び右壁後側裏皮材２３７は、展開すると１枚の裏皮材６０９となっている。
展開状態で見ると底板側裏皮材２３１の前辺に前壁側裏皮材２３２が連接し、底板側裏皮材２３１の後辺に後壁側裏皮材２３３が連接している。そして、前壁側裏皮材２３２の左辺に左壁前側裏皮材２３４が連接し、前壁側裏皮材２３２の右辺に右壁前側裏皮材２３６が連接している。更に、後壁側裏皮材２３３の左辺に左壁後側裏皮材２３５が連接し、後壁側裏皮材２３３の右辺に右壁後側裏皮材２３７が連接している。裏皮材６０９の素材は、薄いナイロン生地である。
【００５５】
但し、表皮材６０１及び裏皮材６０９は、一体化している範囲が筆記具収納部２１を構成する補強部材６０５よりも広い。即ち、表皮材６０１及び裏皮材６０９は、それぞれ、筆記具収納部２１を構成する部分のみならず蓋部３１を構成する部分を含んで一枚の表皮材６０１及び裏皮材６０５となっている。
【００５６】
蓋部３１は、筆記具収納部２１の前壁部２３の長辺部５０７に連接する上蓋部３２及び筆記具収納部２１の後壁部２４の長辺部５０８に連接する下蓋部３３を有する。
【００５７】
本実施の形態にあっては、上蓋部３２は、長さ寸法は１８０ｍｍ程度であり、幅寸法は６０ｍｍ程度である。また、下蓋部３３は、長さ寸法は１８０ｍｍ程度であり、幅寸法は４２ｍｍである。
【００５８】
上蓋部３２の高さと下蓋部３３の幅寸法を合計した場合には１０２ｍｍとなるが、底板部２２の幅寸法は８０ｍｍ程度であるので、上蓋部３２及び下蓋部３３を閉じると、２２ｍｍ程度重なる。具体的には、下蓋部３３の一部を上蓋部３２が覆うようにして閉止されるように構成されている。
【００５９】
上蓋部３２は、上蓋部表皮材３２２、上蓋部補強部材３２１及び上蓋部裏皮材３２３を有し、これらが外部から内部に向かってこの順序で積層されている。
【００６０】
下蓋部３３は、下蓋部表皮材３３２、下蓋部補強部材３３１及び下蓋部裏皮材３３３を有し、これらが外部から内部に向かってこの順序で積層されている。
【００６１】
前壁側表皮材２２５の組立時における上辺には、上蓋部表皮材３２２が連接している。同様に、後壁側表皮材２２６の組立時における上辺には、下蓋部表皮材３３２が連接している。
【００６２】
前壁側裏皮材２３２の組立時における上辺には、上蓋部裏皮材３２３が連接している。同様に、後壁側裏皮材２３３の組立時における上辺には、下蓋部裏皮材３３３が連接している。
【００６３】
しかし、上蓋部補強部材３２１は、前壁補強部材２１７には連接しないで、これから分離して配設されている。従って、上蓋部３２を開け閉めしようとするときに、補強部材６０３、６０５、６０７の何れも変形させる必要がなくなり、開け閉めが容易になる。
【００６４】
同様に、下蓋部補強部材３３１は、後壁補強部材２１８には連接しないで、これから分離している。従って、下蓋部３３を開け閉めしようとするときに、補強部材６０３、６０５、６０７の何れも変形させる必要がなくなり、開け閉めが容易になる。
【００６５】
なお、長辺部５０７付近にある表皮材６０１及び裏皮材６０９が上蓋部３２を開閉する際のヒンジとして機能し、長辺部５０８付近にある表皮材６０１及び裏皮材６０９が下蓋部３３を開閉する際のヒンジとして機能する。
【００６６】
上蓋部３２及び下蓋部３３を閉じると、これらの一部が重なることは既に説明したとおりであるが、図６に示すように、上蓋部３２の下蓋部３３と重複する部分に上蓋側金属平棒３７１を配設し、下蓋部３３の上蓋部３２と重複する部分に２つの下蓋側磁性体３７２及び下蓋側金属平棒３７３を配設することにより、一旦閉じた上蓋部３２及び下蓋部３３が容易に開かないようにしている。
【００６７】
上蓋側金属平棒３７１は、幅５ｍｍ、厚さ２ｍｍ程度の鉄などの金属製の平棒を材料にしたものであり、全長が約２２０ｍｍ程度である。但し、両端手前２０ｍｍ程度の位置から両端にかけて６０度程度屈折させることにより略コの字状の断面形状を有している。
【００６８】
上蓋側金属平棒３７１は、断面で見ると上蓋部補強部材３２１と上蓋部裏皮材３２３の間に挿入されている。また、平面で見ると、前側頂部第２縫合部４０２、前側上部第１縫合部４０３、上蓋部左側縫合部４３１及び上蓋部右側縫合部４３２により四方が囲まれているため、上蓋側金属平棒３７１は、上蓋部３２のこれらのより囲まれた位置に固定される。
【００６９】
下蓋側磁性体３７２は、所謂マグネットであり、一例をあげると、幅は２０ｍｍ、高さは５ｍｍ、厚さは２ｍｍである。
【００７０】
下蓋側金属平棒３７３は、幅５ｍｍ、厚み２ｍｍ程度の鉄などの金属製の平棒を材料にしたものであり、全長が約１７５ｍｍ程度である。
【００７１】
２つの下蓋側磁性体３７２及び下蓋側金属平棒３７３は、断面で見ると下蓋部補強部材３３１と下蓋部表皮材３３２の間に挿入されている。
また、平面で見ると、後側上部第１縫合部４１１及び後側上部第２縫合部４１２により四方が囲まれているため、２つの下蓋側磁性体３７２及び下蓋側金属平棒３７３は、下蓋部３３のこれらのより囲まれた位置に固定される。
なお、後側上部第１縫合部４１１及び後側上部第２縫合部４１２は中央部から両端付近にかけては平行であるが、両端付近において両者が一致するまで徐々に接近して配設されている。
【００７２】
図６に示すように、２つの下蓋側磁性体３７２は下蓋側金属平棒３７３に当接固定されており、全体で大きな磁性体となっている。上蓋部３２及び下蓋部３３を閉じた場合には、上蓋側金属平棒３７１と下蓋側金属平棒３７３は幅方向において両者が重なる範囲（１７５ｍｍの範囲）において、上蓋部裏皮材３２３及び下蓋部表皮材３３２を介して、磁力により引き合うことになる。
【００７３】
底板補強部材２１６、前壁補強部材２１７、後壁補強部材２１８、左壁前側補強部材２１９、左壁後側補強部材２２１、右壁前側補強部材２２２及び右壁後側補強部材２２３を構成する１枚の裏皮材６０５と、全部の表皮材を構成する１枚の表皮材６０１は次のようにして縫合される。
即ち、そのような１枚の補強部材６０５は、そのような１枚の表皮材６０１に対して、前側中部縫合部４０５、前側下部縫合部４０６、後側中部縫合部４１３及び後側下部縫合部４１４において縫合される。
【００７４】
上蓋部補強部材３２１は、上記の１枚の表皮材６０１に対して、前側頂部第１縫合部４０１、前側頂部第２縫合部４０２、前側上部第１縫合部４０３及び前側上部第２縫合部４０４において裏側に縫合される。
【００７５】
なお、ストラップ部３６は、上蓋部補強部材３２１と共に、上記の１枚の表皮材に対して、前側頂部第１縫合部４０１、前側頂部第２縫合部４０２、前側上部第１縫合部４０３及び前側上部第２縫合部４０４において表側に縫合される。
【００７６】
下蓋部補強部材３３１は、上記の１枚の表皮材６０１に対して、後側上部第１縫合部４１１及び後側上部第２縫合部４１２において裏側に縫合される。
【００７７】
全部の裏側材を構成する１枚の裏皮材６０９は、全部の表側を構成する１枚の表皮材６０１に対して、前側頂部第１縫合部４０１、前側頂部第２縫合部４０２、前側上部第１縫合部４０３、前側上部第２縫合部４０４、後側上部第１縫合部４１１及び後側上部第２縫合部４１２において、表皮材の裏側に縫合された全ての補強部材６０３、６０５、６０７を裏から覆うようにして裏側に縫合される。従って、補強部材６０３、６０５、６０７は全く露出しなくなる。
【００７８】
このような縫合により一体化された表皮材６０１、補強部材６０３、６０５、６０７及び裏皮材６０９は、筆記具収納部２１の中空の箱を形成するように折り曲げられる。
図５に示すように、このように折り曲げられてから左前側マチ部３４１の左端辺にある表皮材６０１と左後側マチ部３４２の左端辺にある表皮材６０１は、収納部外部左側縫合部４２１において縫合される。
また、左前側マチ部３４１の左端辺にある裏皮材６０９と左後側マチ部３４２の左端辺にある裏皮材６０９は、収納部内部部左側縫合部４２３において縫合される。同様に、右前側マチ部３５１の右端辺にある表皮材６０１と右後側マチ部３５２の右端辺にある表皮材６０１は、収納部外部右側縫合部４２２において縫合され、右前側マチ部３５１の右端辺にある裏皮材６０９と右後側マチ部３５２の右端辺にある裏皮材６０９は、収納部内部部右側縫合部４２４において縫合される。
【００７９】
図５に示すように、左側マチ部３４は、左前側マチ部３４１及び左後側マチ部３４２を有する。そして、左前側マチ部３４１は、左前下側マチ部３４３及び左前上側マチ部３４４を有する。
【００８０】
左前下側マチ部３４３及び左後側マチ部３４２は、同一の高さを有する。従って、左前側マチ部３４１は左後側マチ部３４２よりも高さ寸法が大きい。
【００８１】
上蓋部３２及び下蓋部３３を開けた状態を見た場合、上蓋部３２は、下蓋部３３よりも高さ寸法が大きい。そして、上蓋部３２及び左前側マチ部３４１は、同一の高さ寸法を有し、下蓋部３３及び左後側マチ部３４２は、同一の高さ寸法を有する。
【００８２】
左前上側マチ部３４４においては、左前側マチ表皮材３４５、左前上側補強部材３４９及び左前側マチ裏側材３４６がこの順で積層されている。これに対して、左前下側マチ部３４３においては、補強部材が省略されており、左前側マチ表皮材３４５及び左前側マチ裏側材３４６がこの順で積層されている。左後側マチ部３４２においても、補強部材が省略されており、左後側マチ表皮材３４７及び左後側マチ裏側材３４８がこの順で積層されている。
【００８３】
組立状態においては、左前下側マチ部３４３及び左後側マチ部３４２は、連接している。また、左前下側マチ部３４３及び左後側マチ部３４２には、それぞれ、折り曲げ可能部として機能する左前側屈伸部４５１及び左後側屈伸部４５２が斜めに形成されている。
【００８４】
更に、上蓋部３２と左前側マチ部３４１が左前側連接部４４１において連接する角度は補強部材及び上蓋側金属平棒３７１により固定されている。これに対して、下蓋部３３と左後側マチ部３４２が左後側連接部４４２において連接する角度は、固定されておらず、自由に変えられることができる。
【００８５】
右側マチ部３５は、左側マチ部３４と同様に構成されている。同様な内容となるが、右側マチ部３５についての説明もする。
【００８６】
図５に示すように、右側マチ部３５は、右前側マチ部３５１及び右後側マチ部３５２を有する。そして、右前側マチ部３５１は、右前下側マチ部３５３及び右前上側マチ部３５４を有する。
【００８７】
右前下側マチ部３５３及び右後側マチ部３５２は、同一の高さを有する。従って、右前側マチ部３５１は右後側マチ部３５２よりも高さ寸法が大きい。
【００８８】
上蓋部３２及び下蓋部３３を開けた状態を見た場合、上蓋部３２は、下蓋部３３よりも背が高い。そして、上蓋部３２及び右前側マチ部３５１は、同一の高さを有し、下蓋部３３及び右後側マチ部３５２は、同一の高さを有する。
【００８９】
右前上側マチ部３５４においては、右前側マチ表皮材３５５、右前上側補強部材３５９及び右前側マチ裏側材３５６がこの順で積層されている。これに対して、右前下側マチ部３５３においては、補強部材が省略されており、右前側マチ表皮材３５５及び右前側マチ裏側材３５６がこの順で積層されている。右後側マチ部３５２においても、補強部材が省略されており、右後側マチ表皮材３５７及び右後側マチ裏側材３５８がこの順で積層されている。
【００９０】
組立状態においては、右前下側マチ部３５３及び右後側マチ部３５２は、連接している。また、右前下側マチ部３５３及び右後側マチ部３５２には、それぞれ、折り曲げ可能部として機能する右前側屈伸部４５３及び右後側屈伸部４５４が斜めに形成されている。
【００９１】
更に、上蓋部３２と右前側マチ部３５１が右前側連接部４４３において連接する角度は補強部材及び上蓋側金属平棒３７１により固定されている。これに対して、下蓋部３３と右後側マチ部３５２が右後側連接部４４４において連接する角度は、固定されておらず、自由に変えられることができる。
【００９２】
従って、上蓋部３２を開くと、左側マチ部３４及び右側マチ部３５の双方が平板状に伸張し、図３に示すように、これにより下蓋部３３も略同時に開くように構成されている。
【００９３】
また、上蓋部３２を閉じると、左側マチ部３４は、左前側屈伸部４５１及び左後側屈伸部４５２を折り目にして三角形状に外側に倒れる姿勢で折り重なり合い、右側マチ部３５は、右前側屈伸部４５３及び右後側屈伸部４５４を折り目にして三角形状に外側に倒れる姿勢で折り重なり合い、更に、既に説明したように左前側連接部４４１及び右前側連接部４４３の折れ曲げ角度は常に維持されているのであるが、左後側連接部４４２及び右後側連接部４４４も左前側連接部４４１及び右前側連接部４４３と同じ程度に折れ曲がるようになり、これにより下蓋部３３も閉じる（図１参照）。
【００９４】
即ち、左側マチ部３４及び右側マチ部３５の屈伸を介して、上蓋部３２の開閉に連動して下蓋部３３も開閉する。
【００９５】
従って、使用者が、上蓋部３２に対して開閉の作用を与えるだけで、上蓋部３２が開閉するだけではなく、これに連動して下蓋部３３も開閉する。使用者が、上蓋部３２に対して開閉の作用を与えるためには、上蓋部３２を掴んで開閉させてもよいし、ストラップ突出部３６２を掴んで開閉の方向に引っ張るようにしても良い。
【００９６】
なお、上蓋部３２及び下蓋部３３が開いている状態（図３参照）から下蓋部３３を閉じても上蓋部３２は連動せず、開いたままである（図２参照）。
【００９７】
本実施形態による考案によれば、一方の蓋を開閉するための操作をするだけで、一方の蓋及び他方の蓋の双方が開閉する。よって、使用者による蓋部の開閉が容易であるという効果が奏される。
【００９８】
また、鉛筆やペンなどの筆記具や定規、消しゴムなどを収納することができる。よって、筆記具ケースとして利用できるという効果が奏される。
【００９９】
更に、筆記具ケースの両端部から筆記具が飛び出してしまうことを防止することができる。よって、筆記具を紛失してしまったり落下により壊してしまうことを避けることができるという効果が奏される。
【０１００】
更に、衝撃などの外力により蓋部が開いてしまうことを未然に防止することができる。よって、衝撃などの外力が働いた場合であっても筆記具を紛失してしまったり落下により壊してしまうことを避けることができるという効果が奏される。
【０１０１】
更に、使用者が開閉用部材を摘まんで蓋部が開閉する方向に引くだけで、蓋部を開閉することができる。よって、使用者による蓋部の開閉が容易であるという効果が奏される。
【０１０２】
更に、筆記具収納部の内部スペースが圧迫されない。よって、筆記具収納部内の筆記具が筆記具収納部の内部において損傷してしまうことを防止することができるという効果が奏される。
【０１０３】
本考案はその精神または主要な特徴から逸脱することなく、他の種々の形で実施することができる。そのため、前述した各実施形態は単なる例示にすぎず、限定的に解釈されるべきではない。本考案の範囲は実用新案登録請求の範囲によって示すものであって、明細書本文にはなんら拘束されない。さらに、実用新案登録請求の範囲の均等範囲に属する変形や変更はすべて本考案の範囲内のものである。
【産業上の利用可能性】
【０１０４】
本考案は、筆記具ケースに利用することができる。また、本考案は、道具箱などの他のケースにも利用することができる。
【符号の説明】
【０１０５】
１１  筆記具ケース
２１  筆記具収納部
２２  底板部
２３  前壁部
２４  後壁部
２５  左壁部
２６  右壁部
２７  開口部
２１６  底板補強部材
２１７  前壁補強部材
２１８  後壁補強部材
２１９  左壁前側補強部材
２２１  左壁後側補強部材
２２２  右壁前側補強部材
２２３  右壁後側補強部材
２２４  底板側表皮材
２２５  前壁側表皮材
２２６  後壁側表皮材
２２７  左壁前側表皮材
２２８  左壁後側表皮材
２２９  右壁前側表皮材
２３０  右壁後側表皮材
２３１  底板側裏皮材
２３２  前壁側裏皮材
２３３  後壁側裏皮材
２３４  左壁前側裏皮材
２３５  左壁後側裏皮材
２３６  右壁前側裏皮材
２３７  右壁後側裏皮材
３１    蓋部
３２  上蓋部
３２１  上蓋部補強部材
３２２  上蓋部表皮材
３２３  上蓋部裏皮材
３３  下蓋部
３３１  下蓋部補強部材
３３２  下蓋部表皮材
３３３  下蓋部裏皮材
３４    左側マチ部
３４１  左前側マチ部
３４２  左後側マチ部
３４３  左前下側マチ部
３４４  左前上側マチ部
３４５  左前側マチ表皮材
３４６  左前側マチ裏皮材
３４７  左後側マチ表皮材
３４８  左後側マチ裏皮材
３４９  左前上側補強部材
３５  右側マチ部
３５１  右前側マチ部
３５２  右後側マチ部
３５３  右前下側マチ部
３５４  右前上側マチ部
３５５  右前側マチ表皮材
３５６  右前側マチ裏皮材
３５７  右後側マチ表皮材
３５８  右後側マチ裏皮材
３５９  右前上側補強部材
３６    ストラップ部
３６１  ストラップ縫付部分
３６２  ストラップ突出部
３７１  上蓋側金属平棒
３７２  下蓋側磁性体
３７３  下蓋側金属平棒
４０１  前側頂部第１縫合部
４０２  前側頂部第２縫合部
４０３  前側上部第１縫合部
４０４  前側上部第２縫合部
４０５  前側中部縫合部
４０６  前側下部縫合部
４１１  後側上部第１縫合部
４１２  後側上部第２縫合部
４１３  後側中部縫合部
４１４  後側下部縫合部
４２１  収納部外部左側縫合部
４２２  収納部外部右側縫合部
４２３  収納部内部左側縫合部
４２４  収納部内部右側縫合部
４３１  上蓋部左側縫合部
４３２  上蓋部右側縫合部
４４１  左前側連接部
４４２  左後側連接部
４４３  右前側連接部
４４４  右後側連接部
４５１  左前側屈伸部
４５２  左後側屈伸部
４５３  右前側屈伸部
４５４  右後側屈伸部
５０８  長辺部
５１１  両端部
５１３  両端部
６０１  表皮材
６０３  補強部材
６０５  裏皮材
６０７  長辺部
６０９  裏皮材
【図１】
0003224722.tif 000003
【図２】
0003224722.tif 000004
【図３】
0003224722.tif 000005
【図４】
0003224722.tif 000006
【図５】
0003224722.tif 000007
【図６】
0003224722.tif 000008